(57)【要約】【課題】本発明は、ペットや飼い主に負担がかかることなくペットが能動的に収容体に対して出入りすることができるペット用カートの提供を目的とする。【解決手段】ペットを収容可能に構成した収容体１３と、該収容体１３を取り付け可能に構成したカート本体１２とを具備したペット用カート１１であって、上記収容体１３の側面部７２に、ペットが上記収容体１３に対して出入り可能に開口した開口部ＨＢを形成し、上記開口部にスロープ兼用側壁パネル４１を備え、上記スロープ兼用側壁パネル４１は、地面に対して傾斜した状態と上記開口部ＨＢを閉塞した状態との間で枢動可能に上記開口部ＨＢの下端部側で枢着され、上記スロープ兼用側壁パネルは、ペットを支持可能な強度を備え、上記スロープ兼用側壁パネル４１を上記開口部ＨＢが閉塞された状態に固定する固定手段５２，５３，５４を、上記収容体１３に備えたペット用カート１１。【選択図】図９
2008220259.tif 000002
【特許請求の範囲】
【請求項１】
ペットを収容可能に構成した収容体と、該収容体を取り付け可能に構成したカート本体とを具備したペット用カートであって、
上記収容体の側面部に、ペットが上記収容体に対して出入り可能に開口した開口部を形成し、
上記開口部にスロープ兼用側壁パネルを備え、
上記スロープ兼用側壁パネルは、地面に対して傾斜した状態と上記開口部を閉塞した状態との間で枢動可能に上記開口部の下端部側で枢着され、
上記スロープ兼用側壁パネルは、ペットを支持可能な強度を備え、
上記スロープ兼用側壁パネルを上記開口部が閉塞された状態に固定する固定手段を、上記収容体に備えた
ペット用カート。
【請求項２】
上記スロープ兼用側壁パネルを、上記収容体の背面部に備えた
請求項１に記載のペット用カート。
【請求項３】
上記スロープ兼用側壁パネルは、上記開口部の下端部側でヒンジにより枢着されている
請求項１、又は、請求項２に記載のペット用カート。
【請求項４】
上記固定手段は、一対のスライドファスナにより形成し、
上記一対のスライドファスナにおける一方の側のスライドファスナを、上記開口部の縁部に形成し、
上記一対のスライドファスナにおける他方の側のスライドファスナを、上記スロープ兼用側壁パネルにおける上記一方の側のスライドファスナと係合可能部分に形成した
請求項１から請求項３のうちいずれか１項に記載のペット用カート。
【請求項５】
上記収容体の側面部を、柔軟性を有して構成し、
上記スロープ兼用側壁パネルを、上記収容体の内側へ倒伏可能に構成した
請求項１から請求項４のうちいずれか１項に記載のペット用カート。
【請求項６】
車輪の回動を停止させるブレーキロック部と該ブレーキロック部を操作するブレーキレバー部とを備え、
上記ブレーキレバー部は、手押し用ハンドル部近傍に備えた
請求項１から請求項５のうちいずれか１項に記載のペット用カート。
【発明の詳細な説明】
【技術分野】
【０００１】
この発明は、犬などのペットを収容体に収容して運ぶことのできるペット用カートに関する。
【背景技術】
【０００２】
上述したペット用カートは、収容体にペットを収容した状態で飼い主が押し進めて移動することができるため、一般に、病気や加齢により衰弱したペットを例えば、動物病院へ運ぶ際や散歩させる際に用いられる。
【０００３】
ところで、上記収容体は、適宜のフレームに取り付けられたとき、収容体の底部が車輪の上側に位置することになるため、収容体の底部と地面との間に高低差（段差）が生じてしまうことになる。
【０００４】
このような該収容体の側壁部に形成された開口部を通じてペットが収容体に対して能動的に出入りさせることを想定すると、ペットは、上記収容体に対して出入りする際に、高低差を跨いだ乗降動作を強いられることになる。  
このような乗降動作は、衰弱したペットにとって過度な負担になるという難点がある。
【０００５】
また、特許文献１おけるペット用鞄付カートの場合は、開口部が鞄（収容体）の上方に設けられていることからペットが能動的に鞄に対して出入りすることを前提に構成されていないと思料される。このため、ペットが鞄に対して出入りする際には、飼い主がペットを担いで開口部を通じて鞄に対して出し入れする必要があり、飼い主にとって負担になるといった難点がある。
【０００６】
上述した難点に対して、図１２（ａ），（ｂ）に示すようなペット用カート１００が既に実用化されている。  
この従来のペット用カート１００は、収容体１０２に対するペットＰの乗り降りを補助するための板状のスロープ１０１を備えている。上記スロープ１０１は、収容体の底部に設けられた収容空間Ａに収容されている。
【０００７】
ペットが乗降する際には、図１２（ａ）に示すように、まず、収容体１０２における背面部を取り外してペットが出入りするための開口部Ｈを構成する。さらに、上記収容空間Ａに収容されたスロープ１０１を開口部Ｈの下端部から引き出して地面に対して傾斜状態で接地する。  
これにより衰弱したペットであっても上記スロープ１０１により収容体１０２に対して容易に乗り降りをさせることができる。
【０００８】
なお、上記ペット用カート１００は、不使用時においては、図１２（ｂ）に示すように、上記スロープ１０１を上記収容空間Ａに収容し、背面部を閉塞することで元の形態へ復元することができる。
【０００９】
しかし、上記ペット用カート１００は、収容体１０２に対してペットを出し入れする場合、まず、背面部を取り外し、さらに収容空間からスロープ１０１を引き出して接地するという２つの手順が必要となり面倒である。さらに、取り外した背面部が邪魔になることや、この背面部を取り外してからスロープ１０１を引き出すまでの間に、衰弱したペットが勝手に収容体１０２の開口部Ｈから飛び降りてしまいケガをしてしまうおそれがある。
【００１０】
さらにまた、収容体１０２の底面部にスロープ１０１を収容するための収容空間Ａを設ける必要もあり、構成が複雑になるといった難点も有する。
【００１１】
【特許文献１】特開２００４−１６６５９９号公報
【発明の開示】
【発明が解決しようとする課題】
【００１２】
そこでこの発明は、ペットや飼い主に負担がかかることなく収容体に対してペットが能動的に出入りすることができるペット用カートの提供を目的とする。
【課題を解決するための手段】
【００１３】
本発明のペット用カートは、ペットを収容可能に構成した収容体と、該収容体を取り付け可能に構成したカート本体とを具備したペット用カートであって、上記収容体の側面部に、ペットが上記収容体に対して出入り可能に開口した開口部を形成し、上記開口部にスロープ兼用側壁パネルを備え、上記スロープ兼用側壁パネルは、地面に対して傾斜した状態と上記開口部を閉塞した状態との間で枢動可能に上記開口部の下端部側で枢着され、上記スロープ兼用側壁パネルは、ペットを支持可能な強度を備え、上記スロープ兼用側壁パネルを上記開口部が閉塞された状態に固定する固定手段を、上記収容体に備えたことを特徴とする。
【００１４】
上記構成により、スロープ兼用側壁パネルを収容体の外側へ倒伏させるだけで、ペットが収容部に対して出入りするためのスロープを容易に構成することができる。さらに、本発明のペット用カートは、スロープ兼用側壁パネルを、スロープと側面部を構成する側壁面とで兼用できるため、これらを別々の部材で構成する場合と比較して簡素な構成で構成することができる。
【００１５】
また、上記構成により、スロープ兼用側壁パネルを地面に対して傾斜した状態で接地できるため、地面と収容体との間の急激な高低差（段差）を解消することができる。
【００１６】
従って、加齢や病気により衰弱したペットであっても傾斜した状態のスロープ兼用側壁パネル上を移動させることにより、ペットは、膝などに負担をかけずに収容体に対して容易に出入りすることができる。
【００１７】
さらにまた、本発明のペット用カートは、例えば、収容体がその上面に開口部が形成された構成である場合のように、上面部に形成された開口部を通じてペットを出し入れする度に飼い主がペットを持ち上げる必要もなく、飼い主にとっても労力がかかることがない構成を実現することができる。
【００１８】
本発明のペット用カートは、収容体の側面部であれば、いずれの部位であっても、スロープ兼用側壁パネルを形成することができ、また、該スロープ兼用側壁パネルを側面部に形成してもよい。
【００１９】
本発明のペット用カートは上記スロープ兼用側壁パネルを、上記収容体の側面部における殊に背面部に備えた構成であることが好ましい。
【００２０】
上記構成により、ペット用カートが背面側から手押し可能な手押し用ハンドル部を備えた構成である場合、ペットを収容体に対して出し入れする際、ペット用カートが不用意に動かないよう手押し用ハンドル部を把持しながら、ペットが収容体に対して出し入れする様子を見守ることができる。
【００２１】
本発明のペット用カートは、上記スロープ兼用側壁パネルの上記開口部の下端部側における枢着は、上記上記開口部の下端部側に対して上記スロープ兼用側壁パネルが枢動自在であれば、如何なる形態で構成してもよい。
【００２２】
例えば、布やテープなどの柔軟性部材により、上記スロープ兼用側壁パネルと底面部とを屈曲自在に連結した構成を挙げることができる。
【００２３】
さらに好ましくは、上記スロープ兼用側壁パネルは、上記開口部の下端部側でヒンジにより枢着されている構成を挙げることができる。
【００２４】
上記構成より、上記開口部の下端部側における枢着部分に段差などが生じることなく滑らかに枢着でき、しかも、上記スロープ兼用側壁パネルを上記開口部の下端部側において強固に連結することができる。
【００２５】
また、上記固定手段は、例えば、面ファスナ、スナップ、ボタン、ホック、紐などで形成することができる。
【００２６】
好ましくは、上記固定手段は、一対のスライドファスナにより形成し、上記一対のスライドファスナにおける一方の側のスライドファスナを、上記開口部の縁部に形成し、上記一対のスライドファスナにおける他方の側のスライドファスナを、上記スロープ兼用側壁パネルにおける上記一方の側のスライドファスナと係合可能部分に形成することができる。
【００２７】
上記構成により、開口部を隙間なく強固に閉塞することができ、開口部の開閉も容易に行うことができる。
【００２８】
本発明のペット用カートは、上記収容体の側面部を、柔軟性を有して構成し、上記スロープ兼用側壁パネルを、上記収容体の内側へ倒伏可能に構成することができる。
【００２９】
上記構成により、本発明のペット用カートを折り畳む際に、上記スロープ兼用側壁パネルを上記収容体の内側へ倒伏させることにより、収容体が厚み方向に収縮したコンパクトな状態で折り畳むことができる。
【００３０】
本発明のペット用カートは、車輪の回動を停止させるブレーキロック部と該ブレーキロック部を操作するブレーキレバー部とを備え、上記ブレーキレバー部は、手押し用ハンドル部近傍に備えることができる。
【００３１】
上記構成により、ペットが収容体に対して出入りする際に上記ブレーキレバー部を操作してブレーキロック部により車輪をロックさせておくことができる。このため、ペットは、安全に出入りすることができるのは勿論、さらに飼い主は、手軽にペット用カートを停止した状態に留めておくことができる。
【発明の効果】
【００３２】
本発明のペット用ケージは、ペットや飼い主に負担がかかることなく収容体に対してペットが能動的に出入りすることができる。
【発明を実施するための最良の形態】
【００３３】
この発明の一実施形態を、以下、図面を用いて説明する。  
図１、図２、図３、図４、図５、及び、図６は、それぞれ本実施形態のペット用カート１１を右側から視た外観図、右側面図、背面側から視た外観図、平面図、正面図、及び、模式的に示した中央縦断面図を示している。
【００３４】
上記図１から図６に示すように、上記ペット用カート１１には、カート本体１２にペットを収容可能な収容体１３が取り外し可能に取り付けられている。
【００３５】
上記カート本体１２の前後各側の下部には、左右一対の車輪１８（前輪１８ａ，後輪１８ｂ）を具備している。また、上記カート本体１２の後方側の上部には、例えば、ペットの飼い主が後方側から手押し可能に横架させた手押し用ハンドル部１７を具備している。上記カート本体１２におけるフレーム１４は、本体フレーム１５と収容体取付フレーム１６とを備えて折畳み可能なカート型形態で構成している。
【００３６】
なお、カート型形態とは、上記ペット用カート１１使用時の形態を示し、また、以下で説明する本実施例のペット用カート１１の各部の構成は、特に示す場合を除いてカート型形態を基準に説明する。  
上記本体フレーム１５は、前側主フレーム２２、後側主フレーム２３、下側主フレーム２４、連結リンク２５（２５ａ，２５ｂ）、及び、補強フレーム２６から構成している。  
なお、上記本体フレーム１５のうち、上記前側主フレーム２２、及び、下側主フレーム２４、及び、連結リンク２５は、いずれもペット用カート１１の左右各側に一対、備えている。
【００３７】
さらに、上記本体フレーム１５のうち、連結リンク２５以外の各フレーム２２，２３，２４，２６は、いずれもスチールパイプ製である。
【００３８】
図２に示すように、上記前側主フレーム２２は、ペット用カート１１を右側面視したとき、前方側において略上下方向に配されている。さらに、前側主フレーム２２の下端部には、前輪１８ａを備え、前側主フレーム２２の上端部は、上記収容体取付フレーム１６が枢着され、該上端部に枢着部（前側第一枢着部２７）を構成している。
【００３９】
上記下側主フレーム２４は、ペット用カート１１を右側面視したとき、下側において後方から前方へむけて斜め上方に配されている。さらに、下側主フレーム２４の下端部には、後輪１８ｂを備え、下側主フレーム２４の上端部は、上記前側主フレーム２２の中途部に枢着され、該上端部に枢着部（前側第二枢着部２８）を構成している。
【００４０】
上記後側主フレーム２３は、ペット用カート１１を右側面視したとき、後方側において略上下方向に配されている。後側主フレーム２３は、その上側部分が後傾し、上端部においてペット用カート１１の幅間において一体に連結した形態の上記手押し用ハンドル部１７を構成している。  
なお、上記手押し用ハンドル部１７は、図４、及び、図５に示すように、人が手押しし易いよう水平バー形状で構成し、その外周部には、ウレタンウレタン部材が囲繞されている。
【００４１】
さらに、後側主フレーム２３の中途部は、上記収容体取付フレーム１６が枢着され、該中途部に枢着部（後側第一枢着部３１）を構成している。
【００４２】
さらにまた、後側主フレーム２３の下端部は、上記下側主フレーム２４の中途部に固定支持されている。
【００４３】
具体的に、図１、図２、及び、図３に示すように、上記下側主フレーム２４の中途部には、樹脂製のカート形態ロック部材３２が取り付けられており、後側主フレーム２３の下端部は、このカート形態ロック部材３２に嵌め込まれた形態でカート本体１２がカート形態に保たれるよう固定支持（ロック）されている。
【００４４】
また、上記連結リンク２５は、直線状をした直線状連結リンク２５ａと円弧状に湾曲した円弧状連結リンク２５ｂから構成し、これらを互いの長さ方向の一方の端部どうしを枢動可能に連結している。なお、直線状連結リンク２５ａと円弧状連結リンク２５ｂは、いずれも細長い板状の部材により形成している。
【００４５】
上記連結リンク２５は、ペット用カート１１の側面において前後方向に配している。
【００４６】
具体的に、図２に示すように連結リンク２５における直線状連結リンク２５ａ側の自由端部は、上記前側主フレーム２２における記前側第二枢着部２８よりも下部側の中途部に枢着し、該中途部に枢着部（前側第三枢着部３３）を構成している。さらに直線状連結リンク２５ａと円弧状連結リンク２５ｂとの枢着部（連結部分）は、上記後側主フレーム２３の下端部側に枢着し、該下端部側に枢着部（後側第二枢着部３４）を構成している。さらにまた、連結リンク２５における円弧状連結リンク２５ｂの自由端部は、下側主フレーム２４における上記カート形態ロック部材３２よりも車輪１８側で枢着され、この部位に枢着部（後側第三枢着部３５）を構成している。
【００４７】
上記連結リンク２５を備えることにより、カート本体１２の剛性を向上させることができるとともに、折畳みの際にフレーム１４本体を折り畳みが可能な方向へと案内規制することができる。
【００４８】
また、補強フレーム２６（２６ａ，２６ｂ）は、図３に示すように、それぞれ後側主フレーム２３の下部、後輪１８ｂの左右幅間に適宜、横架される。
【００４９】
その他にも、カート本体１２には、図３、及び、図４に示すように樹脂製の係止ロック部材３８を備えている。  
具体的に、上記係止ロック部材３８は、その基端部を上記ペット用カート１１の左側における上記後側主フレーム２３に枢着し、ペット用カート１１を折り畳んだとき、先端側の係止部３８ａが上記前側主フレーム２２側に係止可能に枢着されている。一方、上記前側主フレーム２２には、折畳形態としたとき、上記上記係止ロック部材３８の係止部３８ａに係止可能な被係止部が上記前側第三枢着部３３に突設されている（図３、及び、後述する図１１参照）。
【００５０】
さらにまた、本体フレーム１５は、ブレーキ４２を備えている。ブレーキ４２は、主に、ブレーキロック部材４２ａとブレーキレバー４２ｂを備えている（図１参照）。
【００５１】
ブレーキロック部材４２ａは、板状の部材からなり、左右各側の後輪１８ｂ，１８ｂの回動を停止可能に左右各側の下部に取り付けられている。一方、ブレーキレバー４２ｂは、手押し用ハンドル部１７に取り付けられている。ブレーキロック部材４２ａとブレーキレバー４２ｂとの間は、アウターの内部にワイヤーを挿通させたケーブル４２ｃを配している。
【００５２】
上記ブレーキ４２は、ブレーキレバー４２ｂを把持することによりワイヤーから伝達される張力を利用してブレーキロック部材４２ａを後輪１８ｂへ当接するよう作動させる公知のブレーキシステムである。
【００５３】
なお、ブレーキロック部材４２ａは、ブレーキレバー４２ｂを放した状態においてバネ４０の付勢力により元の退避位置に退避する。
【００５４】
続いて上記収容体取付フレーム１６の構成について説明する。上記収容体取付フレーム１６は、図２、及び、図６に示すように、収容体取付環状フレーム４３と収容体取付支持フレーム４４（４４ａ，４４ｂ）とで構成している。
【００５５】
上記収容体取付環状フレーム４３は、図４に示すように、収容体１３の側面部の外周形状と略同形状をした環状に形成するとともに、上記収容体１３をその環状の内側に嵌め込み可能な大きさで形成している。
【００５６】
具体的に、上記収容体取付環状フレーム４３は、平面視すると、長方形状をした長手方向の一端側（前方側）を半円弧状に形成するとともに、長手方向の他端側（後方側）の両角部をＲ形状とした閉環状をしている。
【００５７】
上記収容体取付環状フレーム４３は、上述したように上記前側第一枢着部２７において前側主フレーム２２に枢着され、上記後側第一枢着部３１において後側主フレーム２３に枢着され、カート型形態としたとき、水平姿勢を維持している。
【００５８】
一方、上記収容体取付支持フレーム４４（４４ａ，４４ｂ）は、図２、図５、及び、図６に示すように、左右一対の前側主フレーム２２の間に横架された前側支持フレーム４４ａと、左右一対の後側主フレーム１４の間に横架された後側支持フレーム４４ｂとで構成される。
【００５９】
さらに、前側支持フレーム４４ａ、及び、後側支持フレーム４４ｂは、図２、及び、図６に示すように、ともに上記収容体取付環状フレーム４３が枢着されている高さ位置から収容体１３の略厚み長さ分（上下方向の長さ分）だけ下方位置で本体フレーム１５に横架されている。
【００６０】
これにより、収容体１３は、収容体１３の上端部が収容体取付環状フレーム４３と略面一になるよう収容体取付フレーム１６に取り付けられる。
【００６１】
以上がカート本体１２の構成であり、続いて上記収容体１３の構成について説明する。  
収容体１３は、内部にペットを収容可能な箱型で構成し、図１から図６に示すように、上記収容体取付フレーム１６に嵌め込まれるようその側面部（胴部）が寸胴となる外観形状で形成している。このため、上記前面部は、前方へ突き出した湾曲形状で構成している。
【００６２】
上記収容体１３の背面部７１を除いた側面部（前面部、右側面部、及び、左側面部）は、収容体１３の厚み方向（上下方向）に圧縮自在な柔軟性を確保して形成している。
【００６３】
具体的に、これら前面部、右側面部、及び、左側面部は、略全体を以下で特に示す場合を除いて外側に撥水コーティング加工が施されたポリエステル生地を配するとともに、内側に不織布を配した柔軟な２層構造で形成している。
【００６４】
これに対して上記収容体１３の側面部における背面部７１は、図６に示すように、スロープ兼用側壁パネル４１を備えている。上記スロープ兼用側壁パネル４１は、該背面部７１を構成する側壁として、或いは、収容体１３に対してペットの出入りを補助するスロープとして用いることができる部材であり、その内部に板状芯材４１ａを備えている。
【００６５】
具体的に、図７（ａ）に示すように、スロープ兼用側壁パネル４１は、背面部７１の下端部側において底面部７２の後端部とヒンジ４７により枢着され、開口部の下端部側を枢動軸（下端枢着部５１）として揺動自在に形成している（図中、要部拡大図参照）  
なお、図７（ａ）は、要部を拡大して示した収容体１３の下部の縦断面図である。
【００６６】
スロープ兼用側壁パネル４１を、収容体１３の内側、或いは、外側へ傾けている状態において背面部７１には、開口部（背面開口部ＨＢ）が形成され、該背面開口部ＨＢは、ペットＰが出入可能な大きさを備えている（後述する図９参照）。
【００６７】
また、スロープ兼用側壁パネル４１は、上記下端枢着部５１を枢着軸として収容体１３の外側、すなわち、後方側へ地面に接地するまで倒伏させると、地面に対して例えば２５度程度の緩やかな傾斜状態で接地することができる。
【００６８】
さらに、スロープ兼用側壁パネル４１における上記板状芯材は、上述したように傾斜状態で地面に接地したときでも、さらには、ペットが載上しても撓んだりせず、ペットを支持可能な強度を備えている。  
なお、このような強度を備えたスロープ兼用側壁パネル４１を構成する上記板状芯材４１ａとしては、例えば、木質繊維を成形した中質繊維板（ＭＤＦ板）を用いることができる。
【００６９】
また、背面部７１を正面視した状態においてスロープ兼用側壁パネル４１の右端部沿いには、図３に示すように一対のスライドファスナ５２（５２ａ，５２ｂ）における一方の側のスライドファスナ５２ａを縫着している。一方、収容体１３の背面部７１の右端部沿いには、一対のスライドファスナ５２ａ，５２ｂにおける一方の側５２ａと係合可能な他方の側のスライドファスナ５２ｂを縫着している。
【００７０】
同様に、スロープ兼用側壁パネル４１の左端部沿いにも、一対のスライドファスナ５３（５３ａ，５３ｂ）における一方の側のスライドファスナ５３ａを縫着している。一方、背面部７１の左端部沿いにも、一対のスライドファスナ５３ａ，５３ｂにおける上記一方の側５３ａと係合可能な他方の側のスライドファスナ５３ｂを縫着している。
【００７１】
上述した背面部７１における右端部沿いに有する一対のスライドファスナ５２ａ，５２ｂと、左端部沿いに有する一対のスライドファスナ５３ａ，５３ｂには、それぞれ上方へスライドさせると一対のスライドファスナ（５２，５３）間が閉口し、下方へスライドさせると一対のスライドファスナ（５２，５３）間が開口するスライダ５２ｃ，５３ｃを具備している。
【００７２】
さらにまた、図３に示すようにスロープ兼用側壁パネル４１の外面（表面側）の上部には、一対の面ファスナ５４（５４ａ，５４ｂ）の一方の側の面ファスナ５４ａを縫着している。一方、収容体１３の上面部の後端部には、繋止フラップ５５の一端部をフラップ状に逢着し、このフラップ状に突き出した繋止フラップ５５の先端側に、一対の面ファスナ５４ａ，５４ｂにおける他方の側の面ファスナ５４ｂを逢着している。
【００７３】
これにより、一対のスライドファスナ５２，５３、或いは、一対の面ファスナ５４を適宜、係止することにより、図３に示すようにスロープ兼用側壁パネル４１で上記背面開口部ＨＢを開口可能に閉塞した状態に維持することができる。
【００７４】
また、スロープ兼用側壁パネル４１に縫着した上記一方の側の面ファスナ５４ａよりも上側部分には、人が把持可能な取手用布片５６をフラップ状に外側へ突き出した状態で縫着している。
【００７５】
なお、図１、図２、図３、及び、図５に示すように、収容体１３の前面部、右側面部、及び、左側面部には、ネット状窓部５７が形成されている。さらに、図３に示すように、上記収容体１３の背面部７１の表面には、弾性素材をネット状部材で構成したネット状ポケット５８を形成している。
【００７６】
また、本実施形態のペット用カート１１は、図６、及び、図７（ｂ）に示すように、収容体１３の上面部にも、ペットを収容、或いは、取り出し可能な開口部（上面開口部ＨＡ）を有している。  
なお、図７（ｂ）は、上面開口部ＨＢを開口させた状態の収容体１３の上部の縦断面図を示している。上記上面開口部ＨＡは、開閉カバー４５により覆われ、該開閉カバー４５は、上面部における後側部位を除いた部位をフラップ状に形成している。  
また、上記開閉カバー４５は、被覆カバー４６と通気性カバー４７との２層構造で形成している。  
具体的に、上記通気性カバー４７は、前部を除いた部位をメッシュ地で形成している。これに対して上記被覆カバー４６は、メッシュ地の通気孔を閉塞状態に通気性カバー４７全体を被覆可能に形成している。
【００７７】
さらに、図４、及び、図７（ｂ）に示すように、上記通気性カバー４７の上記被覆カバー４６との対向面における前方側部位には、一対の面ファスナ４８ａ，４８ｂにおける一方の側の面ファスナ４８ａが縫着され、上記被覆カバー４６における上記一方の側の面ファスナ４８ａとの重合部位には、一対の面ファスナ４８ａ，４８ｂにおける他方の側の面ファスナ４８ｂが縫着されている。  
また、上記通気性カバー４７の開口縁部には、一対のスライドファスナ４９ａ，４９ｂにおける一方のスライドファスナ４９ａを縫着し、上記上面部の周縁部に一方のスライドファスナ４９ａに係合可能な他方のスライドファスナ４９ｂを縫着している。  
なお、上記一対のスライドファスナ４９ａ，４９ｂは、２つのスライダ４９ｃ，４９ｃを具備し（図４参照）、該各スライダ４９ｃ，４９ｃのスライド操作により上面開口部ＨＡを開閉可能に構成している。
【００７８】
また、上記収容体１３の底面部７２は、図６、及び、図７（ａ）に示すように、内部に収容したペットを支持可能な強度を有する底板６３を不織布で被覆して形成している。
【００７９】
なお、上記底板６３は、上述した中質繊維板６３ａとウレタンフォーム６３ｂとを積載させた２層構造で形成し、適度なクッション性を兼ね備えている。
【００８０】
さらにまた、上記底面部７２は、図７（ａ）に示すように、カート本体１２に収容体１３を取り付けたとき、表面（外面）における前側支持フレーム４４ａ、及び、後側支持フレーム４４ｂのそれぞれと対向する部位に支持フレーム取付用フラップ７４を形成している（図中、要部拡大図参照）。  
上記支持フレーム取付用フラップ７４は、前側支持フレーム４４ａ、或いは、後側支持フレーム４４ｂを包み込み可能な長さの帯状部材と、帯状部材により前側支持フレーム４４ａ、或いは、後側支持フレーム４４ｂを包み込んだ状態で互いに係合可能な一対の面ファスナ７５ａ，７５ｂとで構成している。
【００８１】
また、上記収容体１３の上面部の所定の周端部側には、図１から図６に示すように、上記収容体取付環状フレーム４３に取付け可能な環状フレーム取付用フラップ６２を形成している。  
具体的に、環状フレーム取付用フラップ６２は、前側端部沿い、左右各端部沿いにおける上記本体フレーム１５と取付フレーム１４の枢着部を除いた部分に適宜、形成されている。
【００８２】
さらに、上記環状フレーム取付用フラップ６２は、上記収容体取付環状フレーム４３の全周を包み込みが可能な幅大を有し、外周縁部にバイアステープを施した帯状に形成し、その幅方向の一端沿いを、収容体１３の前側端部に縫着して捲り上げが可能に形成している。  
さらにまた、上記前側環状フレーム取付用フラップ６２の裏面には、一対のスナップ５８ａ，５８ｂにおける一方の側のスナップ５８ａが固着され、上記収容体１３の側面部における前側環状フレーム取付用フラップ６２と対向する部位には、一対のスナップ５８ａ，５８ｂにおける他方の側のスナップ５８ｂが固着されている。
【００８３】
これにより、環状フレーム取付用フラップ６２は、上記収容体取付環状フレーム４３を包み込んだ状態で一対のスナップ５８ａ，５８ｂにより、収容体１３の側面部に固定することができる。
【００８４】
以下、飼い主が上述したペット用カート１１における収容体１３にペットを移動させる手順について図８（ａ），（ｂ），（ｃ）、及び、図９を用いて説明する。  
なお、図８（ａ），（ｂ），（ｃ）は、いずれも収容体１３と地面との間に移動用のスロープを接地する過程を説明する説明図であり、図９は、ペットＰが収容体１３の内部へ移動する様子を示す説明図である。
【００８５】
まず、図８（ａ）に示すように、飼い主は、ペット用カート１１がカート型形態の状態において収容体１３における上記背面部７１の上記繋止用フラップを捲くりあげ、一対の面ファスナ５４ａ，５４ｂどうしを離間させる。
【００８６】
そして、図８（ｂ）に示すように、背面部７１の左右各側における一対のスライドファスナ５２，５３の上端部に備えたスライダ５２ｃ，５３ｃを下端部に達するまでスライドさせる。これにより、スロープ兼用側壁パネル４１を、下端枢軸部５１を中心に揺動自在な状態にすることができる。そして、図８（ｃ）に示すように、飼い主は、上記取手用布片５６を手で摘み、手前側（収容体１３の外側）へ引っ張ることにより、スロープ兼用側壁パネル４１を収容体１３の外側へ倒伏させることができる（図中、仮想線で示した該スロープ兼用側壁パネル４１参照）。
【００８７】
これにより、背面部７１には、背面開口部ＨＢが構成されるとともに、スロープ兼用側壁パネル４１を、図８（ｃ）に示すように、地面に対して傾斜した状態で接地することができる。
【００８８】
よって、ペットＰは、図９に示すようにスロープ兼用側壁パネル４１を歩きながら収容体１３の内部へと能動的に移動することができる。
【００８９】
ペットＰが収容体１３の内部へ移動すればスロープ兼用側壁パネル４１を、起立状態とし、一対のスライドファスナ５２ａ，５２ｂ、及び、一対の面ファスナ５４ａ，５４ｂをそれぞれ係止させることにより、ペットが収容体１３に収容された状態で背面開口部ＨＢが閉塞された元の状態に戻すことができる。
【００９０】
なお、ペットＰを収容体１３の内側から外側へ移動させる手順については、上述した収容体１３の外側から内側へ移動させる手順と同様であるため、その説明は省略する。
【００９１】
上述した本実施形態におけるペット用カート１１は、以下のような様々な効果を奏することができる。  
本実施形態におけるペット用カート１１は、上述したように上記収容体１３の背面部７１に、上記背面開口部ＨＢを形成し、上記背面開口部ＨＢにスロープ兼用側壁パネル４１を備え、上記スロープ兼用側壁パネル４１は、地面に対して傾斜した状態と上記背面開口部ＨＢを閉塞した状態との間で枢動可能に下端枢着部５１で枢着され、上記スロープ兼用側壁パネル４１は、ペットＰを支持可能な強度を備え、上記スロープ兼用側壁パネル４１を上記背面開口部ＨＢが閉塞された状態に固定する一対のスライドファスナ５２、及び、一対の面ファスナ５４を構成している。
【００９２】
上記構成により、飼い主は、スロープ兼用側壁パネル４１を収容体１３の外側へ倒伏させるだけでペットＰが収容体１３に対して出入りするための背面開口部ＨＢ、及び、ペットの収容体１３に対する出入り補助用のスロープを、同時に構成することができるため、ペット用カート１１をカート型形態からペットを収容体に移動可能な形態へとスムーズに変更することができる。
【００９３】
さらに、本実施形態のペット用カート１１は、スロープ兼用側壁パネル４１を、上述したようにスロープとしても、背面部７１を閉塞するための側壁部材としても兼用でき、これらを別々の部材で構成する従来のペット用カートの場合と比較して簡素な構成で構成することができる。
【００９４】
また、本実施形態におけるペット用カート１１は、上述したようにスロープ兼用側壁パネル４１を地面に対して傾斜した状態で接地できるため、地面と収容体１３との間の急激な高低差を解消することができる。
【００９５】
従って、加齢や病気により衰弱したペットＰであっても傾斜した状態のスロープ兼用側壁パネル４１上を移動することができ（図９参照）、ペットＰの膝などに負担をかけずに収容体１３に対して能動的に出入りさせることができる。
【００９６】
さらに、ペットは、収容体１３に対して能動的に出入りすることが可能であるため、飼い主がいちいち抱きかかえて上面開口部ＨＡから出し入れする必要もない。
【００９７】
本実施形態のペット用カート１１は、上述したように上記スロープ兼用側壁パネル４１と底面部７２とを上記ヒンジ４７により枢着しているため、上記スロープ兼用側壁パネル４１と上記底面部７２との間に段差などが生じることがなく、さらに、上記スロープ兼用側壁パネル４１と上記底面部７２とを強固に連結することができる。
【００９８】
また、本実施形態のペット用カート１１は、上述したように、背面部７１の右側端部と左側端部とにおけるそれぞれに一対のスライドファスナ５２、５３を縫着している。
【００９９】
上記構成により、背面開口部ＨＢを隙間なく強固に閉塞することができる。しかも、スライダ５２ｃ，５３ｃをスライド操作させるだけで容易に背面開口部ＨＢの開閉を行うことができる。
【０１００】
さらにまた、本実施形態のペット用カート１１は、上述したようにブレーキロック部材４２ａを操作するブレーキレバー４２ｂを、手押し用ハンドル部１７近傍に備えている。
【０１０１】
上記構成により、ペットが収容体１３に対して出入りする間、飼い主は、上記ブレーキレバー４２ｂを操作してブレーキロック部材４２ａを作動させて車輪１８をロックさせておくことができる。
【０１０２】
従って、ペット用カート１１が不用意に動いてしまうことがなくペットを安全に収容体１３に対して出入りさせることができるのは勿論、さらに飼い主は、手軽にペット用カート１１を停止した状態に留めておくことができる。
【０１０３】
次に、本実施形態におけるペット用カート１１をペット型形態から折り畳む手順について説明する。  
まず、飼い主は、上述した手順によりスロープ兼用側壁パネル４１を下端枢着部５１を枢動中心として枢動可能な状態とする。そして、飼い主は、図１０に示すように、ペットＰを収容していない状態の収容体１３の内側へスロープ兼用側壁パネル４１が底面部７２と略対向するまで倒伏させる。
【０１０４】
ここで、収容体１３の側面部における殊に背面部７１を除いた各部（前面部、右側面図、左側面図）は、上述したように厚み方向に収縮自在な状態であるため、このように、収容体１３は、剛性に優れたスロープ兼用側壁パネル４１を底面部７２に予め倒伏させておくことにより、収容体１３の側面部全体が厚み方向に収縮自在な状態にすることができる。
【０１０５】
このため、カート本体１２を折り畳むに従って収容体１３取付支持フレーム１４と収容体取付環状フレーム４３との間に取り付けられている収容体１３は、自動的に圧縮した状態となる。
【０１０６】
従って、本実施形態におけるペット用カート１１は、図１１に示すように、収容体１３をカート本体１２に取り付けたままでも、収容体１３ごとスムーズ、且つ、コンパクトに折り畳むことができる。
【０１０７】
なお、最後に係止ロック部材３８を被係止部３３で係止することで折り畳み状態にロックしておくことができる（図１１参照）。
【０１０８】
本実施形態におけるペット用カート１１は、上述したように背面部７１にスロープ兼用側壁パネル４１を備え、該背面部７１にスロープ兼用側壁パネル４１を底面部７２にヒンジ４７を介して枢動可能に構成したが、このような構成は、背面部７１に限らず、例えば、前面部など他の側面部を構成してもよい。
【０１０９】
また、上述した実施形態と、この発明の構成との対応において、この実施形態の背面開口部ＨＢは、この発明の開口部に対応し、以下同様に、
ブレーキロック部材４２ａは、ブレーキロック部に対応し、
ブレーキレバー４２ｂは、ブレーキレバー部に対応するも、
この発明は、上述の実施形態の構成のみに限定されるものではなく、多くの実施の形態を得ることができる。
【図面の簡単な説明】
【０１１０】
【図１】本実施形態におけるペット用カートの外観図。
【図２】本実施形態におけるペット用カートの右側面図。
【図３】本実施形態におけるペット用カートの背面側から視た外観図。
【図４】本実施形態におけるペット用カートの平面図。
【図５】本実施形態におけるペット用カートの正面図。
【図６】本実施形態におけるペット用カートの模式的に示した中央縦断面図。
【図７】本実施形態におけるペット用カートの要部の構成説明図。
【図８】本実施形態におけるペット用カートの作用説明図。
【図９】本実施形態におけるペット用カートの作用説明図。
【図１０】本実施形態におけるペット用カートの作用説明図。
【図１１】本実施形態におけるペット用カートを折り畳んだ状態を示す外観図。
【図１２】従来のペット用カートの説明図。
【符号の説明】
【０１１１】
１１…ペット用カート
１２…カート本体
１３…収容体
１７…手押し用ハンドル部
１４…フレーム
４２ａ…ブレーキロック部材
４２ｂ…ブレーキレバー
４１…スロープ兼用側壁パネル
４７…ヒンジ
５１…下端枢着部
５２ａ，５２ｂ…一対のスライドファスナ
５３ａ，５３ｂ…一対のスライドファスナ
５４ａ，５４ｂ…一対の面ファスナ
５５…繋止フラップ
７１…背面部
ＨＢ…背面開口部
【図１】
2008220259.tif 000003
【図２】
2008220259.tif 000004
【図３】
2008220259.tif 000005
【図４】
2008220259.tif 000006
【図５】
2008220259.tif 000007
【図６】
2008220259.tif 000008
【図７】
2008220259.tif 000009
【図８】
2008220259.tif 000010
【図９】
2008220259.tif 000011
【図１０】
2008220259.tif 000012
【図１１】
2008220259.tif 000013
【図１２】
2008220259.tif 000014